(57)【要約】      （修正有）【課題】評価対象者に対する動作評価を支援するシステム、装置、方法及びプログラムを提供する。【解決手段】対象者が行った所定の動作に対する評価を支援する動作評価支援システムであって、複数の対象者から一の対象者を選択する第１の選択欄と、複数の評価項目から一の評価項目を選択する第２の選択欄と、動作の撮影を開始するための第１の表示部品と、撮影された動画を表示する第２の表示部品を含む画面を表示する第１の表示手段と、前記画面において、対象者、評価項目、表示部品の選択に応じて、選択された対象者が行う動作を撮影して動画データを作成する動画作成手段と、作成された動画データと、対象者識別情報と、評価項目識別情報とを対応付けて記憶する記憶手段と、対象者、評価項目、第２の表示部品の選択に応じて、対象者識別情報と評価項目識別情報とに対応付けて記憶手段に記憶されている動画データを表示する第２の表示手段と、を有する。【選択図】図９
2019160228.tif 000002
【特許請求の範囲】
【請求項１】
対象者が行った所定の動作に対する評価を支援する動作評価支援システムであって、
複数の対象者の中から一の対象者を選択するための第１の選択欄と、複数の評価項目の中から一の評価項目を選択するための第２の選択欄と、動作の撮影を開始するための第１の表示部品と、前記撮影された動画を表示するための第２の表示部品とが含まれる画面を表示する第１の表示手段と、
前記画面に含まれる前記第１の選択欄における対象者の選択と、前記第２の選択欄における評価項目の選択と、前記第１の表示部品の選択とに応じて、選択された対象者が行う動作を撮影して、該撮影の開始から終了までの動画データを作成する動画作成手段と、
作成された動画データと、前記第１の選択欄で選択された対象者を識別する対象者識別情報と、前記第２の選択欄で選択された評価項目を識別する評価項目識別情報とを対応付けて記憶する記憶手段と、
前記画面に含まれる前記第１の選択欄における対象者の選択と、前記第２の選択欄における評価項目の選択と、前記第２の表示部品の選択とに応じて、選択された対象者を識別する対象者識別情報と、選択された評価項目を識別する評価項目識別情報とに対応付けて前記記憶手段に記憶されている動画データを表示する第２の表示手段と、
を有することを特徴とする動作評価支援システム。
【請求項２】
表示された動画データに基づく動画における対象者の動作に対する評価が入力された場合、前記記憶手段に記憶されている前記動画データに対して、入力された前記評価を示す情報を対応付けて記憶させる保存手段、を有することを特徴とする請求項１に記載の動作評価支援システム。
【請求項３】
前記保存手段は、
更に、表示された動画データに基づく動画における対象者の動作に対するコメントが入力された場合、前記記憶手段に記憶されている前記動画データに対して、入力された前記コメントを示す情報を対応付けて記憶させる、ことを特徴とする請求項２に記載の動作評価支援システム。
【請求項４】
前記保存手段は、
更に、表示された動画データに基づく動画における対象者の動作に対するタグが入力又は選択された場合、前記記憶手段に記憶されている前記動画データに対して、入力又は選択された前記タグを示す情報を対応付けて記憶させる、ことを特徴とする請求項２又は３に記載の動作評価支援システム。
【請求項５】
前記第２の表示手段は、
前記第１の選択欄における対象者の選択と、前記第２の選択欄における評価項目の選択と、前記第２の表示部品の選択とに応じて、選択された対象者を識別する対象者識別情報と、選択された評価項目を識別する評価項目識別情報とに対応付けて前記記憶手段に記憶されている複数の動画データを選択するための第３の選択欄を表示し、前記第３の選択欄から表示された１以上の動画データを表示する、ことを特徴とする請求項１乃至４の何れか一項に記載の動作評価支援システム。
【請求項６】
前記第２の表示手段は、
前記第３の選択欄として、前記複数の動画データをそれぞれ示す情報と、該動画データに対応付けて前記記憶手段に記憶されているタグとのリストを表示する、ことを特徴とする請求項５に記載の動作評価支援システム。
【請求項７】
前記第１の表示手段は、
前記第１の選択欄で選択された対象者について、前記第２の選択欄に含まれる複数の評価項目のうち、所定の評価項目を強調した表示態様で表示する、ことを特徴とする請求項１乃至６の何れか一項に記載の動作評価支援システム。
【請求項８】
前記第１の表示手段は、
前記第１の選択欄で選択された対象者について、前記第２の選択欄に含まれる複数の評価項目それぞれの評価項目の評価回数を表示する、ことを特徴とする請求項１乃至７の何れか一項に記載の動作評価支援システム。
【請求項９】
対象者が行った所定の動作に対する評価を支援する動作評価支援装置であって、
複数の対象者の中から一の対象者を選択するための第１の選択欄と、複数の評価項目の中から一の評価項目を選択するための第２の選択欄と、動作の撮影を開始するための第１の表示部品と、前記撮影された動画を表示するための第２の表示部品とが含まれる画面を表示する第１の表示手段と、
前記画面に含まれる前記第１の選択欄における対象者の選択と、前記第２の選択欄における評価項目の選択と、前記第１の表示部品の選択とに応じて、選択された対象者が行う動作を撮影して、該撮影の開始から終了までの動画データを作成する動画作成手段と、
作成された動画データと、前記第１の選択欄で選択された対象者を識別する対象者識別情報と、前記第２の選択欄で選択された評価項目を識別する評価項目識別情報とを対応付けて記憶する記憶手段と、
前記画面に含まれる前記第１の選択欄における対象者の選択と、前記第２の選択欄における評価項目の選択と、前記第２の表示部品の選択とに応じて、選択された対象者を識別する対象者識別情報と、選択された評価項目を識別する評価項目識別情報とに対応付けて前記記憶手段に記憶されている動画データを表示する第２の表示手段と、
を有することを特徴とする動作評価支援装置。
【請求項１０】
対象者が行った所定の動作に対する評価を支援する動作評価支援システムに用いられる動作評価支援方法であって、
複数の対象者の中から一の対象者を選択するための第１の選択欄と、複数の評価項目の中から一の評価項目を選択するための第２の選択欄と、動作の撮影を開始するための第１の表示部品と、前記撮影された動画を表示するための第２の表示部品とが含まれる画面を表示する第１の表示手順と、
前記画面に含まれる前記第１の選択欄における対象者の選択と、前記第２の選択欄における評価項目の選択と、前記第１の表示部品の選択とに応じて、選択された対象者が行う動作を撮影して、該撮影の開始から終了までの動画データを作成する動画作成手順と、
作成された動画データと、前記第１の選択欄で選択された対象者を識別する対象者識別情報と、前記第２の選択欄で選択された評価項目を識別する評価項目識別情報とを対応付けて記憶手段に記憶させる保存手順と、
前記画面に含まれる前記第１の選択欄における対象者の選択と、前記第２の選択欄における評価項目の選択と、前記第２の表示部品の選択とに応じて、選択された対象者を識別する対象者識別情報と、選択された評価項目を識別する評価項目識別情報とに対応付けて前記記憶手段に記憶されている動画データを表示する第２の表示手順と、
を有することを特徴とする動作評価支援方法。
【請求項１１】
対象者が行った所定の動作に対する評価を支援する動作評価支援装置を、
複数の対象者の中から一の対象者を選択するための第１の選択欄と、複数の評価項目の中から一の評価項目を選択するための第２の選択欄と、動作の撮影を開始するための第１の表示部品と、前記撮影された動画を表示するための第２の表示部品とが含まれる画面を表示する第１の表示手段、
前記画面に含まれる前記第１の選択欄における対象者の選択と、前記第２の選択欄における評価項目の選択と、前記第１の表示部品の選択とに応じて、選択された対象者が行う動作を撮影して、該撮影の開始から終了までの動画データを作成する動画作成手段、
作成された動画データと、前記第１の選択欄で選択された対象者を識別する対象者識別情報と、前記第２の選択欄で選択された評価項目を識別する評価項目識別情報とを対応付けて記憶手段に記憶させる保存手段、
前記画面に含まれる前記第１の選択欄における対象者の選択と、前記第２の選択欄における評価項目の選択と、前記第２の表示部品の選択とに応じて、選択された対象者を識別する対象者識別情報と、選択された評価項目を識別する評価項目識別情報とに対応付けて前記記憶手段に記憶されている動画データを表示する第２の表示手段、
として機能させるためのプログラム。
【発明の詳細な説明】
【技術分野】
【０００１】
本発明は、動作評価支援システム、動画評価支援装置、動作評価支援方法及びプログラムに関する。
【背景技術】
【０００２】
リハビリテーションや高齢者介護等の現場では、リハビリテーション対象者や高齢者等の日常生活動作（ＡＤＬ：Activities of Daily Living）を評価することが行われている。このような評価は、例えば、評価対象者の日常生活動作を直接目視により確認したり、録画された日常生活動作を確認したりすることで行われることが多い。
【０００３】
また、例えば高齢者等の被観察体に機具を装着することなく、当該被観察体の日常的な動作を測定する技術が知られている（例えば、特許文献１参照）。
【発明の概要】
【発明が解決しようとする課題】
【０００４】
しかしながら、例えばデイサービス（通所介護）等の事業所では、日常生活動作を評価可能な知見を持ったスタッフ（例えば理学療法士等）が常駐していない場合があり、評価対象者の日常生活動作を目視確認によって評価することが困難なことがある。
【０００５】
これに対して、評価対象者の日常生活動作を録画した上で、録画によって作成された動画データを理学療法士等に提供し、日常生活動作の評価を受けることもできる。しかしながら、この場合、例えば、動画データと共に、どのような種類の動作を、いつ、誰が行ったものなのか等の情報を簡単に提供できる仕組みがあることが好ましい。
【０００６】
本発明の一実施形態は、上記の点に鑑みてなされたもので、評価対象者に対する動作評価を支援することを目的とする。
【課題を解決するための手段】
【０００７】
上記目的を達成するため、本発明の一実施形態は、対象者が行った所定の動作に対する評価を支援する動作評価支援システムであって、複数の対象者の中から一の対象者を選択するための第１の選択欄と、複数の評価項目の中から一の評価項目を選択するための第２の選択欄と、動作の撮影を開始するための第１の表示部品と、前記撮影された動画を表示するための第２の表示部品とが含まれる画面を表示する第１の表示手段と、前記画面に含まれる前記第１の選択欄における対象者の選択と、前記第２の選択欄における評価項目の選択と、前記第１の表示部品の選択とに応じて、選択された対象者が行う動作を撮影して、該撮影の開始から終了までの動画データを作成する動画作成手段と、作成された動画データと、前記第１の選択欄で選択された対象者を識別する対象者識別情報と、前記第２の選択欄で選択された評価項目を識別する評価項目識別情報とを対応付けて記憶する記憶手段と、前記画面に含まれる前記第１の選択欄における対象者の選択と、前記第２の選択欄における評価項目の選択と、前記第２の表示部品の選択とに応じて、選択された対象者を識別する対象者識別情報と、選択された評価項目を識別する評価項目識別情報とに対応付けて前記記憶手段に記憶されている動画データを表示する第２の表示手段と、を有することを特徴とする。
【発明の効果】
【０００８】
本発明の一実施形態によれば、評価対象者に対する動作評価を支援することができる。
【図面の簡単な説明】
【０００９】
【図１】第一の実施形態に係る動作評価支援システムのシステム構成の一例を示す図である。
【図２】第一の実施形態に係るユーザ端末のハードウェア構成の一例を示す図である。
【図３】第一の実施形態に係る管理サーバのハードウェア構成の一例を示す図である。
【図４】第一の実施形態に係る動作評価支援システムの機能構成の一例を示す図である。
【図５】評価項目情報の一例を示す図である。
【図６】対象者情報の一例を示す図である。
【図７】撮影情報の一例を示す図である。
【図８】第一の実施形態に係る撮影処理の流れの一例を説明するための図である。
【図９】利用開始画面の一例を説明するための図である。
【図１０】保存確認画面の一例を説明するための図である。
【図１１】第一の実施形態に係る動画閲覧及び評価処理の流れの一例を説明するための図である。
【図１２】動画閲覧及び評価画面の一例を説明するための図（その１）である。
【図１３】動画閲覧及び評価画面の一例を説明するための図（その２）である。
【図１４】第二の実施形態に係る動作評価支援システムの機能構成の一例を示す図である。
【図１５】対象者管理情報の一例を示す図である。
【図１６】第二の実施形態に係る撮影処理の流れの一例を説明するための図である。
【図１７】利用開始画面の他の例を説明するための図である。
【発明を実施するための形態】
【００１０】
以下、本発明の実施の形態（本実施形態）について、図面を参照しながら詳細に説明する。以降では、リハビリテーション対象者や高齢者等（以降、「評価対象者」又は単に「対象者」と表す。）が行った動作を撮影することで、この動作の評価を支援する動作評価支援システム１について説明する。ここで、動作とは、第三者による評価の対象となる動作のことであり、例えば、日常生活動作（ＡＤＬ）等が挙げられる。
【００１１】
以降の各実施形態では、一例として、第三者による評価の対象となる動作は日常生活動作（ＡＤＬ）であるものとして説明する。また、日常生活動作（ＡＤＬ）の評価項目としては、一般に「セルフケア」、「排泄管理」、「移乗」、「コミュニケーション」に分類される１５項目を用いるものとする。
【００１２】
ただし、第三者による評価の対象となる動作は、日常生活動作（ＡＤＬ）に限られず、リハビリテーション分野や介護分野等において、第三者による評価の対象となる種々の動作（例えば、手段的日常生活動作（ＩＡＤＬ：Instrumental Activities of Daily Living）等）であっても良い。
【００１３】
［第一の実施形態］
＜システム構成＞
まず、本実施形態に係る動作評価支援システム１のシステム構成について、図１を参照しながら説明する。図１は、第一の実施形態に係る動作評価支援システム１のシステム構成の一例を示す図である。
【００１４】
図１に示すように、本実施形態に係る動作評価支援システム１には、１以上のユーザ端末１０と、管理サーバ２０とが含まれる。ユーザ端末１０と管理サーバ２０とは、例えばインターネット等のネットワークＮを介して通信可能に接続されている。
【００１５】
ユーザ端末１０は、評価対象者の動作を撮影するユーザ（例えば、デイサービスの事業所におけるスタッフ等の撮影者）や評価対象者の動作を撮影した動画を閲覧して当該動作を評価するユーザ（例えば、理学療法士等の評価者）が利用する端末装置である。なお、評価対象者を撮影するユーザと、評価対象者の動作を撮影した動画を閲覧して当該動作を評価するユーザとは、異なる人物であっても良いし、同一の人物であっても良い。
【００１６】
ユーザ端末１０としては、例えば、スマートフォン、タブレット端末、ＰＣ（パーソナルコンピュータ）等を用いることができる。ただし、ユーザ端末１０は、これらに限られず、少なくとも評価対象者を撮影可能な装置であれば良く、例えば、デジタルカメラやウェアラブルデバイス、ゲーム機器等であっても良い。
【００１７】
管理サーバ２０は、ユーザ端末１０が評価対象者を撮影することによって作成した動画データ等を管理するサーバ装置である。管理サーバ２０は、１台のコンピュータで実現されていても良いし、複数台のコンピュータで実現されていても良い。
【００１８】
なお、図１に示す動作評価支援システム１の構成は一例であって、他の構成であっても良い。例えば、ユーザ端末１０と管理サーバ２０とが１台で構成されていても良い（特に、例えば、本実施形態に係る管理サーバ２０が有する各種機能をユーザ端末１０が有していても良い。）。
【００１９】
＜ハードウェア構成＞
次に、本実施形態に係る動作評価支援システム１に含まれるユーザ端末１０及び管理サーバ２０のハードウェア構成について説明する。
【００２０】
≪ユーザ端末１０≫
まず、本実施形態に係るユーザ端末１０のハードウェア構成について、図２を参照しながら説明する。図２は、第一の実施形態に係るユーザ端末１０のハードウェア構成の一例を示す図である。
【００２１】
図２に示すように、本実施形態に係るユーザ端末１０は、タッチパネル１１と、外部Ｉ／Ｆ１２と、通信Ｉ／Ｆ１３と、ＲＯＭ（Read Only Memory）１４とを有する。また、本実施形態に係るユーザ端末１０は、ＲＡＭ（Random Access Memory）１５と、ＣＰＵ（Central Processing Unit）１６と、記憶装置１７と、撮影装置１８とを有する。これら各ハードウェアは、それぞれがバス１９で通信可能に接続されている。
【００２２】
タッチパネル１１は、ユーザによる各種操作の入力を受け付ける入力装置と、ユーザに対して各種画面等を表示する表示装置とが含まれる入出力装置である。
【００２３】
外部Ｉ／Ｆ１２は、外部装置とのインタフェースである。外部装置には、記録媒体１２ａ等がある。ユーザ端末１０は、外部Ｉ／Ｆ１２を介して、記録媒体１２ａ等の読み取りや書き込みを行うことができる。記録媒体１２ａには、例えば、ＳＤメモリカードやＵＳＢメモリ等がある。
【００２４】
通信Ｉ／Ｆ１３は、ユーザ端末１０をネットワークＮに接続するためのインタフェースである。ユーザ端末１０は、通信Ｉ／Ｆ１３を介して、他の装置（管理サーバ２０等）と通信を行うことができる。
【００２５】
ＲＯＭ１４は、電源を切ってもプログラムやデータを保持することができる不揮発性の半導体メモリである。ＲＯＭ１４には、ユーザ端末１０のＯＳ（Operating System）設定やネットワーク設定等が格納されている。ＲＡＭ１５は、プログラムやデータを一時保持する揮発性の半導体メモリである。
【００２６】
ＣＰＵ１６は、ＲＯＭ１４や記憶装置１７等からプログラムやデータをＲＡＭ１５上に読み出し、処理を実行することで、ユーザ端末１０全体の制御や機能を実現する演算装置である。
【００２７】
記憶装置１７は、例えば、不揮発性の半導体メモリ等であり、プログラムやデータを格納している。記憶装置１７に格納されるプログラムやデータには、ユーザ端末１０全体を制御する基本ソフトウェアであるＯＳ、ＯＳ上において各種機能を提供するアプリケーションプログラム、本実施形態に係るユーザ端末１０が有する各種機能を実現する１以上のプログラム等がある。撮影装置１８は、動画を撮影可能なカメラ装置である。
【００２８】
本実施形態に係るユーザ端末１０は、図２に示すハードウェア構成を有することにより、後述するような各種処理を実現できる。
【００２９】
≪管理サーバ２０≫
次に、本実施形態に係る管理サーバ２０のハードウェア構成について、図３を参照しながら説明する。図３は、第一の実施形態に係る管理サーバ２０のハードウェア構成の一例を示す図である。
【００３０】
図３に示すように、本実施形態に係る管理サーバ２０は、入力装置２１と、表示装置２２と、外部Ｉ／Ｆ２３と、通信Ｉ／Ｆ２４と、ＲＯＭ２５と、ＲＡＭ２６と、ＣＰＵ２７と、記憶装置２８とを有する。これら各ハードウェアは、それぞれがバス２９で通信可能に接続されている。
【００３１】
入力装置２１は、キーボードやマウス等であり、ユーザが各種操作を入力するのに用いられる。表示装置２２は、ディスプレイ等であり、管理サーバ２０による処理結果を表示する。なお、管理サーバ２０は、入力装置２１及び表示装置２２のうちの少なくとも一方を有していなくても良い。
【００３２】
外部Ｉ／Ｆ２３は、外部装置とのインタフェースである。外部装置には、記録媒体２３ａ等がある。管理サーバ２０は、外部Ｉ／Ｆ２３を介して、記録媒体２３ａ等の読み取りや書き込み等を行うことができる。記録媒体２３ａには、例えば、フレキシブルディスク、ＣＤ、ＤＶＤ、ＳＤメモリカード、ＵＳＢメモリ等がある。
【００３３】
通信Ｉ／Ｆ２４は、管理サーバ２０をネットワークＮに接続するためのインタフェースである。管理サーバ２０は、通信Ｉ／Ｆ２４を介して、他の装置（ユーザ端末１０等）と通信を行うことができる。
【００３４】
ＲＯＭ２５は、電源を切ってもプログラムやデータを保持することができる不揮発性の半導体メモリである。ＲＯＭ２５には、管理サーバ２０のＯＳ設定やネットワーク設定等が格納されている。ＲＡＭ２６は、プログラムやデータを一時保持する揮発性の半導体メモリである。
【００３５】
ＣＰＵ２７は、ＲＯＭ２５や記憶装置２８等からプログラムやデータをＲＡＭ２６上に読み出し、処理を実行することで、管理サーバ２０全体の制御や機能を実現する演算装置である。
【００３６】
記憶装置２８は、例えばＨＤＤ（Hard Disk Drive）やＳＳＤ（Solid State Drive）等の不揮発性のメモリであり、プログラムやデータを格納している。記憶装置２８に格納されるプログラムやデータには、管理サーバ２０全体を制御する基本ソフトウェアであるＯＳ、ＯＳ上において各種機能を提供するアプリケーションプログラム、本実施形態に係る管理サーバ２０が有する各種機能を実現する１以上のプログラム等がある。なお、記憶装置２８は、格納しているプログラムやデータを所定のファイルシステムやＤＢ（デーベース）により管理している。
【００３７】
本実施形態に係る管理サーバ２０は、図３に示すハードウェア構成を有することにより、後述するような各種処理を実現できる。
【００３８】
＜機能構成＞
次に、本実施形態に係る動作評価支援システム１の機能構成について、図４を参照しながら説明する。図４は、第一の実施形態に係る動作評価支援システム１の機能構成の一例を示す図である。
【００３９】
≪ユーザ端末１０≫
図４に示すように、本実施形態に係るユーザ端末１０は、操作受付部１０１と、表示制御部１０２と、通信部１０３と、撮影制御部１０４とを有する。これら各機能部は、ユーザ端末１０にインストールされた１以上のプログラムがＣＰＵ１６に実行させる処理により実現される。
【００４０】
操作受付部１０１は、ユーザによる各種操作を受け付ける。各種操作としては、例えば、評価対象者が行う動作の撮影を開始するための撮影開始操作、この動作の撮影を終了するための撮影終了操作等がある。また、これら以外にも、例えば、自身が閲覧する動画を選択するための選択操作、閲覧した動画中の動作を評価するための評価操作等がある。
【００４１】
表示制御部１０２は、ユーザに対して各種画面を表示する。各種画面としては、例えば、撮影開始操作を行うための利用開始画面、動画の閲覧やこの動画中の動作を評価するための動画閲覧及び評価画面等がある。
【００４２】
通信部１０３は、管理サーバ２０との間で各種情報を送受信する。各種情報としては、例えば、評価対象者が行った動作を撮影することで作成した動画データ、この評価対象者を識別する情報（後述する対象者ＩＤ）、この評価対象者が行った動作に対する評価項目を識別する情報（後述する評価項目ＩＤ）等がある。
【００４３】
撮影制御部１０４は、撮影装置１８を制御して、撮影開始操作が行われた後、撮影終了操作が行われるまでの間の動画データを作成する。
【００４４】
≪管理サーバ２０≫
図４に示すように、本実施形態に係る管理サーバ２０は、通信部２０１と、情報管理部２０２とを有する。これら各機能部は、管理サーバ２０にインストールされた１以上のプログラムがＣＰＵ２７に実行させる処理により実現される。また、本実施形態に係る管理サーバ２０は、評価項目情報記憶部２１０と、対象者情報記憶部２２０と、撮影情報記憶部２３０と、動画データ記憶部２４０とを有する。これら各記憶部は、例えば記憶装置２８等を用いて実現可能である。なお、これら各記憶部のうちの少なくとも１つの記憶部が、管理サーバ２０とネットワークＮを介して接続される記憶装置等を用いて実現されていても良い。
【００４５】
通信部２０１は、ユーザ端末１０との間で各種情報を送受信する。各種情報としては、上述したように、動画データや対象者ＩＤ、評価項目ＩＤ等がある。
【００４６】
情報管理部２０２は、評価項目情報記憶部２１０、対象者情報記憶部２２０、撮影情報記憶部２３０、及び動画データ記憶部２４０に記憶されている情報を管理する。すなわち、情報管理部２０２は、これらの各記憶部からの情報の読み出しやこれらの各記憶部への情報の書き込み等を行う。
【００４７】
評価項目情報記憶部２１０は、日常生活動作（ＡＤＬ）の評価項目に関する情報を示す評価項目情報が記憶されている。対象者情報記憶部２２０は、日常生活動作（ＡＤＬ）の評価の対象である評価対象者に関する情報が記憶されている。撮影情報記憶部２３０は、ユーザ端末１０によって撮影された評価対象者の動作に関する情報を示す撮影情報が記憶される。動画データ記憶部２４０は、撮影情報に対応する動画データが記憶される。
【００４８】
ここで、評価項目情報記憶部２１０に記憶されている評価項目情報について、図５を参照しながら説明する。図５は、評価項目情報の一例を示す図である。
【００４９】
図５に示すように、評価項目情報記憶部２１０には、１以上の評価項目情報（具体的には、日常生活動作（ＡＤＬ）として規定されている１５件の評価項目を示す評価項目情報）が記憶されている。各評価項目情報には、「評価項目ＩＤ」、「評価項目名」、「説明」及び「カテゴリ」等が含まれる。
【００５０】
「評価項目ＩＤ」は、評価項目を識別する情報である。「評価項目名」は、評価項目の名称である。評価項目名としては、例えば、「食事」、「整容」、「入浴」、「更衣−上半身」、「更衣−下半身」、「トイレ動作」、「排尿」、「排便」、「ベッド、椅子、車椅子」、「トイレ」、「浴室、シャワー」、「歩行、車椅子」、「階段昇降」、「理解」、「表出」がある。
【００５１】
「説明」は、評価項目の説明である。「カテゴリ」は、評価項目が分類されるカテゴリである。評価項目が分類されるカテゴリとしては、「セルフケア」、「排泄管理」、「移乗」、「移動」、「コミュニケーション」がある。
【００５２】
なお、カテゴリ「セルフケア」には、例えば、評価項目名がそれぞれ「食事」、「整容」、「入浴」、「更衣−上半身」、「更衣−下半身」、「トイレ動作」、「排尿」、「排便」である評価項目が分類される。また、カテゴリ「排泄管理」には、例えば、評価項目名がそれぞれ「排尿」、「排便」である評価項目が分類される。カテゴリ「移乗」には、例えば、評価項目名がそれぞれ「ベッド、椅子、車椅子」、「トイレ」、「浴室、シャワー」である評価項目が分類される。カテゴリ「移動」には、例えば、評価項目名がそれぞれ「歩行、車椅子」、「階段昇降」である評価項目が分類される。カテゴリ「コミュニケーション」には、例えば、評価項目名がそれぞれ「理解」、「表出」である評価項目が分類される。
【００５３】
また、これらの評価項目は、それぞれが評価対象となる日常生活動作（ＡＤＬ）の動作種別を表している。例えば、評価項目名「食事」の評価対象は、「食事」動作である。他の評価項目についても同様である。
【００５４】
このように、評価項目情報記憶部２１０には、日常生活動作（ＡＤＬ）における１５の評価項目をそれぞれ示す評価項目情報が記憶されている。なお、評価項目情報記憶部２１０には、第三者による評価の対象となる動作の評価項目を示す情報が記憶される。例えば、第三者による評価の対象となる動作が手段的日常生活動作（ＩＡＤＬ）である場合、評価項目情報記憶部２１０には、手段的日常生活動作（ＩＡＤＬ）の評価項目を示す評価項目情報が記憶される。
【００５５】
次に、対象者情報記憶部２２０に記憶されている対象者情報について、図６を参照しながら説明する。図６は、対象者情報の一例を示す図である。
【００５６】
図６に示すように、対象者情報記憶部２２０には、１以上の対象者情報が記憶されている。各対象者情報には、「対象者ＩＤ」、「名前」、「性別」及び「生年月日」等が含まれる。
【００５７】
「対象者ＩＤ」は、評価対象者を識別する情報である。「名前」は、評価対象者の氏である。なお、「名前」は、評価対象者の氏及び名であっても良い。「性別」は、評価対象者の性別である。「生年月日」は、評価対象者の生年月日である。
【００５８】
このように、対象者情報記憶部２２０には、評価対象者毎に、この評価対象者の名前等の情報が記憶されている。なお、各対象者情報には、上記以外にも、例えば、評価対象者の氏名のかな表記を示す「かな」等が含まれていても良い。
【００５９】
次に、撮影情報記憶部２３０に記憶されている撮影情報について、図７を参照しながら説明する。図７は、撮影情報の一例を示す図である。
【００６０】
図７に示すように、撮影情報記憶部２３０には、１以上の撮影情報が記憶される。各撮影情報には、「撮影ＩＤ」、「対象者ＩＤ」、「評価項目ＩＤ」、「動画データ保存先パス」、「撮影日時」、「再生時間」、「コメント」、「評価結果」及び「タグ」等が含まれる。
【００６１】
「撮影ＩＤ」は、撮影情報を識別する情報である。「対象者ＩＤ」は、撮影対象となった評価対象者の対象者ＩＤである。「評価項目ＩＤ」は、当該評価対象者の動作に対する評価項目の評価項目ＩＤである。「動画データ保存先パス」は、撮影された動画が保存されているパス（動画データ記憶部２４０におけるパス）である。「撮影日時」は、当該動画が撮影された日時（又は日付）である。
【００６２】
「再生時間」は、撮影された動画の再生時間である。「コメント」は、例えば理学療法士等の第三者（評価者）によって当該動画中の動作が評価された際等に任意に記入されたコメントである。「評価結果」は、当該第三者によって当該動画中の動作が評価された評価結果（例えば、ＦＩＭ（Functional Independence Measure）による評価結果やバーサルインデックスによる評価結果等）である。
【００６３】
「タグ」は、例えば、動画の撮影者又は当該動画中の動作の評価者等により付与されるタグである。撮影情報に対してタグが付与されることで、例えば、この撮影情報に対応する動画を再生する際に、この動画の検索等が容易となる。
【００６４】
このように、撮影情報記憶部２３０には、撮影者によって撮影された動画データの保存先パス、撮影された評価対象者の対象者ＩＤ，この評価対象者の動作に対する評価項目の評価項目ＩＤ、撮影日時等が対応付けられた撮影情報が記憶されている。このため、本実施形態に係る動作評価支援システム１では、どのような種類の動作を、いつ、誰が行った動画であるのかを管理することができる。
【００６５】
また、撮影情報記憶部２３０に記憶されている撮影情報には、評価者により記入されるコメントや評価者による評価結果等が含まれる。このため、本実施形態に係る動作評価支援システム１では、上記の動画に対するコメントや評価結果等も管理することができる。なお、評価者によりコメントが記入される前や評価が行われる前の撮影情報には、コメントや評価結果は含まれない（又は、コメントや評価結果としてブランクが設定されているか若しくは空値（ＮＵＬＬ）が設定されている。）。
【００６６】
＜処理の詳細＞
次に、本実施形態に係る動作評価支援システム１の処理の詳細について説明する。
【００６７】
≪撮影処理≫
以降では、撮影者が評価対象者の動作（日常生活動作（ＡＤＬ））を撮影する場合の処理について、図８を参照しながら説明する。図８は、第一の実施形態に係る撮影処理の流れの一例を説明するための図である。なお、図８では、ユーザ端末１０のユーザとは撮影者のことである。
【００６８】
まず、ユーザ端末１０の操作受付部１０１は、ユーザによる利用開始操作を受け付ける（ステップＳ１０１）。利用開始操作とは、利用開始画面を表示させるための操作であり、例えば、本実施形態に係るユーザ端末１０が有する各種機能を実現するプログラム（アプリケーションプログラム）の起動操作が挙げられる。利用開始画面とは、動画の撮影や動画の閲覧及び評価の開始するための画面である。
【００６９】
次に、ユーザ端末１０の通信部１０３は、表示情報の取得要求を管理サーバ２０に送信する（ステップＳ１０２）。表示情報とは、利用開始画面に含まれる選択欄等を表示するための情報である。本実施形態では、表示情報は、評価項目情報及び対象者情報であるものとする。
【００７０】
管理サーバ２０の通信部２０１は、表示情報の取得要求を受信する（ステップＳ１０３）。
【００７１】
次に、管理サーバ２０の情報管理部２０２は、評価項目情報記憶部２１０に記憶されている評価項目情報と、対象者情報記憶部２２０に記憶されている対象者情報とを取得する（ステップＳ１０４）。なお、情報管理部２０２は、対象者情報記憶部２２０に記憶されている全ての対象者情報を取得する場合に限られず、一部の対象者情報のみを取得しても良い。例えば、男性の評価対象者を示す対象者情報のみ取得したり、女性の評価対象者を示す対象者情報のみを取得したりしても良い。又は、例えば、或る年齢以上の評価対象者を示す対象者情報のみを取得しても良い。更に、例えば、利用しているデイサービスの事業所を示す情報が対象者情報に含まれる場合、或る事業所を利用している評価対象者を示す対象者情報のみを取得しても良い。
【００７２】
次に、管理サーバ２０の通信部２０１は、表示情報の取得応答をユーザ端末１０に送信する（ステップＳ１０５）。表示情報の取得応答には、上記のステップＳ１０４で取得された表示情報（すなわち、評価項目情報及び対象者情報）が含まれる。
【００７３】
ユーザ端末１０の通信部１０３は、表示情報の取得応答を受信する（ステップＳ１０６）。
【００７４】
次に、ユーザ端末１０の表示制御部１０２は、表示情報（評価項目情報及び対象者情報）に基づいて、例えば図９に示す利用開始画面Ｇ１００を表示する（ステップＳ１０７）。
【００７５】
ここで、図９に示す利用開始画面Ｇ１００は、動画の撮影や動画の閲覧及び評価の開始するための画面である。図９に示す利用開始画面Ｇ１００には、対象者選択欄Ｇ１１０と、評価項目選択欄Ｇ１２０と、撮影開始ボタンＧ１３０と、動画閲覧開始ボタンＧ１４０とが含まれる。
【００７６】
対象者選択欄Ｇ１１０は、動画の撮影対象の評価対象者又は動画の閲覧対象の評価対象者を選択するための選択欄である。対象者選択欄Ｇ１１０には、表示情報として取得された対象者情報により示される評価対象者が選択可能に表示される。
【００７７】
評価項目選択欄Ｇ１２０は、動画の撮影対象となる動作の評価項目又は閲覧及び評価したい動作の評価項目を選択するための選択欄である。評価項目選択欄Ｇ１２０には、表示情報として取得された評価項目情報により示される評価項目が選択可能に表示される。
【００７８】
撮影開始ボタンＧ１３０は、対象者選択欄Ｇ１１０で選択された評価対象者を撮影対象として、評価項目選択欄Ｇ１２０で選択された評価項目により評価される動作の撮影を開始するためのボタンである。
【００７９】
動画閲覧開始ボタンＧ１４０は、対象者選択欄Ｇ１１０で選択された評価対象者が撮影された動画のうち、評価項目選択欄Ｇ１２０で選択された評価項目により評価される動作が撮影された動画の閲覧を開始するためのボタンである。なお、当該動作の評価は、動画の閲覧と共に又は当該動画の閲覧後に行われるため、動画閲覧開始ボタンＧ１４０は、動画の閲覧及び評価を開始するためのボタンと言うこともできる。
【００８０】
ユーザは、評価対象者を対象者選択欄Ｇ１１０から選択すると共に、評価項目を評価項目選択欄Ｇ１２０から選択した上で、撮影開始ボタンＧ１３０を押下することで、撮影開始操作を行うことができる。他方で、ユーザは、評価対象者を対象者選択欄Ｇ１１０から選択すると共に、評価項目を評価項目選択欄Ｇ１２０から選択した上で、動画閲覧開始ボタンＧ１４０を押下することで、閲覧開始操作を行うことができる。
【００８１】
以降では、ユーザが撮影開始操作を行ったものとして説明を続ける。より具体的には、例えば、或る評価対象者について、日常生活動作（ＡＤＬ）のうちの「階段昇降」動作を撮影したい場合、ユーザは、対象者選択欄Ｇ１１０から当該評価対象者を選択すると共に、評価項目選択欄Ｇ１２０から「階段昇降」を選択して、撮影開始操作を行う。同様に、例えば、或る評価対象者について、日常生活動作（ＡＤＬ）のうちの「食事」動作を撮影したい場合、ユーザは、対象者選択欄Ｇ１１０から当該評価対象者を選択すると共に、評価項目選択欄Ｇ１２０から「食事」を選択して、撮影開始操作を行う。このように、ユーザは、撮影対象の評価対象者と、この評価対象者がこれから行う動作に対応する評価項目とを選択した撮影開始操作を行う。
【００８２】
ユーザ端末１０の操作受付部１０１は、ユーザによる撮影開始操作を受け付ける（ステップＳ１０８）。
【００８３】
次に、ユーザ端末１０の撮影制御部１０４は、撮影装置１８を制御して、当該撮影装置１８の撮影範囲内を撮影する（ステップＳ１０９）。すなわち、ユーザは、ユーザ端末１０を用いて、評価対象者の動作（すなわち、評価項目選択欄Ｇ１２０で選択された評価項目により評価される動作）を撮影する。なお、ユーザ端末１０は、例えば、棚等の上に置いたり、三脚等を用いたりして、評価対象者の動作が撮影範囲となる位置に固定されていても良い。
【００８４】
ここで、例えば、評価対象者の動作が終了したこと等により、ユーザが撮影終了操作を行ったものとする。なお、撮影終了操作は、例えば、上記のステップＳ１０９の撮影中であることを示す画面において、所定のボタン（撮影終了ボタン）等を押下することで行うことができる。
【００８５】
ユーザ端末１０の操作受付部１０１は、ユーザによる撮影終了操作を受け付ける（ステップＳ１１０）。
【００８６】
次に、ユーザ端末１０の撮影制御部１０４は、動画の撮影を終了した上で、上記のステップＳ１０９で撮影を開始してから終了するまでの動画データを作成する（ステップＳ１１１）。
【００８７】
次に、ユーザ端末１０の表示制御部１０２は、例えば図１０に示す保存確認画面を表示する（ステップＳ１１２）。
【００８８】
ここで、図１０に示す保存確認画面Ｇ２００は、上記のステップＳ１１１で作成された動画データを管理サーバ２０に保存するか否かをユーザに選択させたり、当該動画データにタグを付与したりするための画面である。図１０に示す保存確認画面Ｇ２００には、撮影日時や撮影対象者の情報、動画の再生時間やファイルサイズ等が表示される表示欄Ｇ２０１が含まれる。また、図１０に示す保存確認画面Ｇ２００には、動画データに付与するタグをユーザが入力するための入力欄Ｇ２０２と、動画データを管理サーバ２０に保存するための保存ボタンＧ２０４とが含まれる。
【００８９】
なお、図１０に示す保存確認画面Ｇ２００には、予め決められたタグ（又は何等かの動画データに既に付与されているタグ）の一覧を表示させるための選択ボタンＧ２０３が含まれていても良い。これにより、ユーザは、動画データに付与するタグを、タグの一覧の中から選択することができる。
【００９０】
ここで、タグとは、動画データに対して付与される任意の文字や記号のことであり、当該動画データの検索や説明、分類等のために用いられる。例えば、或る評価対象者が介護施設に入所した日に実施される撮影で作成された動画データに対して、例えばデイサービス等に入所した日を示す「入所日」等のタグを付与することが考えられる。これにより、この評価対象者を入所日に撮影した動画データを容易に特定することができるようになる。
【００９１】
また、例えば、或る介助者Ａ（例えば、理学療法士等である介助者Ａ）が評価対象者を介助しながら撮影することで作成された動画データに「Ａ」等のタグを付与することが考えられる。これにより、この介助者Ａが介助しながら撮影した動画データを容易に特定することができるようになる。特に、例えば、介助能力に長けている介助者の動画データに対してこのようなタグを付与することで、他の介助者が、介助のマニュアル的にこの動画データを見ることができるようになる。
【００９２】
ユーザは、保存ボタンＧ２０４を押下することで、動画保存操作を行うことができる。なお、ユーザは、キャンセルボタンを押下することで、動画データの保存を中止することができる。以降では、ユーザが動画保存操作を行ったものとして説明を続ける。
【００９３】
ユーザ端末１０の操作受付部１０１は、ユーザによる動画保存操作を受け付ける（ステップＳ１１３）。
【００９４】
ユーザ端末１０の通信部１０３は、動画データの保存要求を管理サーバ２０に送信する（ステップＳ１１４）。動画データの保存要求には、上記のステップＳ１１１で作成された動画データに加えて、撮影開始操作の際にユーザにより選択された評価対象者を示す対象者ＩＤと、当該ユーザにより選択された評価項目を示す評価項目ＩＤとが含まれる。また、当該保存要求には、撮影日時と、再生時間とが含まれる。更に、図１０に示す保存確認画面Ｇ２００でタグが付与された場合には、当該保存要求には、タグも含まれる。
【００９５】
管理サーバ２０の通信部２０１は、動画データの保存要求を受信する（ステップＳ１１５）。
【００９６】
次に、管理サーバ２０の情報管理部２０２は、動画データの保存要求に含まれる動画データを動画データ記憶部２４０に保存する（ステップＳ１１６）。
【００９７】
次に、管理サーバ２０の情報管理部２０２は、撮影情報を作成した上で、作成した撮影情報を撮影情報記憶部２３０に保存する（ステップＳ１１７）。ここで、情報管理部２０２は、撮影ＩＤを生成した上で、この撮影ＩＤと、上記のステップＳ１１６で保存された動画データの保存先パス（動画データ保存先パス）と、動画データの保存要求に含まれる各種情報（対象者ＩＤ、評価項目ＩＤ、撮影日時、再生時間、タグ等）とを対応付けることで撮影情報を作成する。なお、このとき、情報管理部２０２は、当該撮影情報のコメントや評価結果にはブランクや空値（ＮＵＬＬ）等を設定すれば良い。
【００９８】
次に、管理サーバ２０の通信部２０１は、動画データの保存応答をユーザ端末１０に送信する（ステップＳ１１８）。
【００９９】
ユーザ端末１０の通信部１０３は、動画データの保存応答を受信する（ステップＳ１１９）。
【０１００】
以上のように、本実施形態に係る動作評価支援システム１では、ユーザ端末１０のユーザ（撮影者）は、評価対象者と評価項目とを選択した上で、この評価対象者の動作を撮影することができる。そして、本実施形態に係る管理サーバ２０では、撮影された動画データが、評価対象者を示す対象者ＩＤと、評価項目を示す評価項目ＩＤとに対応付けて管理される。また、このとき、ユーザ端末１０のユーザによって当該動画データに対するタグも付与することができる。これにより、本実施形態に係る動作評価支援システム１では、後述するように、評価者は、該当の評価対象者の該当の動作が撮影された動画データを容易に閲覧することができるようになる。
【０１０１】
≪動画閲覧及び評価処理≫
以降では、評価者が動画を閲覧することで、この動画中の動作（日常生活動作（ＡＤＬ））を評価する場合の処理について、図１１を参照しながら説明する。図１１は、第一の実施形態に係る動画閲覧及び評価処理の流れの一例を説明するための図である。なお、図１１では、ユーザ端末１０のユーザとは評価者のことである。上述したように、撮影者と評価者とは異なる人物であっても良いし、同一人物であっても良い。また、撮影者が撮影に利用したユーザ端末１０と、評価者が閲覧及び評価に利用するユーザ端末１０とは、異なるユーザ端末１０であっても良いし、同一のユーザ端末１０であっても良い。
【０１０２】
まず、ユーザ端末の表示制御部１０２は、例えば図９に示す利用開始画面Ｇ１００を表示する（ステップＳ２０１）。これは、図８のステップＳ１０７と同様に、図８のステップＳ１０１〜ステップＳ１０６が実行されることで表示される。以降では、図９に示す利用開始画面Ｇ１００において、ユーザは、評価対象者を対象者選択欄Ｇ１１０から選択すると共に、評価項目を評価項目選択欄Ｇ１２０から選択した上で、動画閲覧開始ボタンＧ１４０を押下して、閲覧開始操作を行ったものとする。
【０１０３】
ユーザ端末１０の操作受付部１０１は、ユーザによる閲覧開始操作を受け付ける（ステップＳ２０２）。
【０１０４】
次に、ユーザ端末１０の通信部１０３は、閲覧可能リストの取得要求を管理サーバ２０に送信する（ステップＳ２０３）。閲覧可能リストの取得要求には、閲覧開始操作の際にユーザにより選択された評価対象者を示す対象者ＩＤと、当該ユーザにより選択された評価項目を示す評価項目ＩＤとが含まれる。ここで、閲覧可能リストとは、閲覧可能な動画のリストであり、当該対象者ＩＤと当該評価項目ＩＤとが含まれる撮影情報を特定可能なリスト又は当該撮影情報に対応する動画データを特定可能なリストのことである。
【０１０５】
管理サーバ２０の通信部２０１は、閲覧可能リストの取得要求を受信する（ステップＳ２０４）。
【０１０６】
次に、管理サーバ２０の情報管理部２０２は、閲覧可能リストを作成する（ステップＳ２０５）。ここで、情報管理部２０２は、例えば、撮影情報記憶部２３０に記憶されている撮影情報うち、閲覧可能リストの取得要求に含まれる対象者ＩＤ及び評価項目ＩＤが含まれる撮影情報を特定した上で、これら特定した撮影情報から動画データ保存先パスと撮影日時とタグとを取得する。そして、情報管理部２０２は、これらの動画データ保存先パスと撮影日時とタグとを対応付けたリストを、閲覧可能リストとして作成する。なお、情報管理部２０２は、更に、上記の特定した撮影情報から再生時間も取得して、動画データ保存先パスと撮影日時と再生時間とタグとを対応付けたリストを、閲覧可能リストとして作成しても良い。
【０１０７】
ここで、上述したように、閲覧可能リストは、該当の対象者ＩＤと該当の評価項目ＩＤとが含まれる撮影情報を特定可能なリスト又は当該撮影情報に対応する動画データを特定可能なリストであれば良い。したがって、閲覧可能リストとしては、例えば、当該対象者ＩＤと当該評価項目ＩＤとが含まれる撮影情報の撮影ＩＤのリストであっても良いし、これらの撮影情報の動画データ保存先パスのリストであっても良い。
【０１０８】
次に、管理サーバ２０の通信部１０３は、閲覧可能リストの取得応答をユーザ端末１０に送信する（ステップＳ２０６）。ここで、閲覧可能リストの取得応答には、上記のステップＳ２０５で作成された閲覧可能リストが含まれる。
【０１０９】
ユーザ端末１０の通信部１０３は、閲覧可能リストの取得応答を受信する（ステップＳ２０７）。
【０１１０】
次に、ユーザ端末１０の表示制御部１０２は、当該取得応答に含まれる閲覧可能リストに基づいて、例えば図１２に示す動画閲覧及び評価画面Ｇ３００を表示する（ステップＳ２０８）。
【０１１１】
ここで、図１２に示す動画閲覧及び評価画面Ｇ３００は、動画の閲覧と、当該動画中の動作の評価とを行うための画面である。図１２に示す動画閲覧及び評価画面Ｇ３００には、動画選択ボタンＧ３０１と、動画選択ボタンＧ３０２とが含まれる。
【０１１２】
動画選択ボタンＧ３０１及び動画選択ボタンＧ３０２は、閲覧する動画を選択するためボタンである。例えば、動画選択ボタンＧ３０１がユーザにより押下されると、表示制御部１０２により、動画一覧Ｇ３０３が表示される。動画一覧Ｇ３０３には、閲覧可能リストに含まれる情報（例えば、タグや撮影日時等）が表示される。同様に、例えば、動画選択ボタンＧ３０２がユーザにより押下された場合も同様に、閲覧可能リストに含まれる情報が動画一覧Ｇ３０４として表示される。
【０１１３】
ユーザは、動画選択ボタンＧ３０１の押下によって表示される動画一覧Ｇ３０３と、動画選択ボタンＧ３０２の押下によって表示される動画一覧との少なくとも一方から所望の動画を選択することで、動画の選択操作を行うことができる。このように、ユーザは、複数の動画（図１２に示す例では２つの動画）を選択することができる。
【０１１４】
ここで、例えば、動画一覧Ｇ３０３からは評価対象の動作が撮影された動画を選択し、動画一覧Ｇ３０４からは当該動画と比較する動画を選択する。これにより、例えば、前回撮影した動画と、今回撮影した動画とを比較しながら評価を行うことができるようになる。
【０１１５】
なお、ユーザは、必ずしも複数の動画を選択する必要はなく、１つの動画のみを選択しても良い。また、図１２に示す例では、同一の評価対象者の同一の評価項目について、２つの動画を選択可能としたが、これに限られず、例えば、同一の評価項目について、或る評価対象者を撮影した動画と、別の評価対象者を撮影した動画とを選択することができても良い。
【０１１６】
これにより、或る評価対象者の動作と、別の或る評価対象者の動作とを比較しながら評価を行ったりすることができるようになる。特に、或る評価対象者を撮影した動画と、手本となる動作を行っている撮影対象者を撮影した動画とを選択することで、この評価対象者の動作と、手本となる動作とを比較しながら評価を行うことができるようになる。
【０１１７】
以降では、ユーザは、２つの動画を選択して、動画の選択操作を行ったものとして説明を続ける。
【０１１８】
ユーザ端末１０の操作受付部１０１は、ユーザによる動画の選択操作を受け付ける（ステップＳ２０９）。
【０１１９】
次に、ユーザ端末１０の通信部１０３は、動画データの取得要求を管理サーバ２０に送信する（ステップＳ２１０）。動画データの取得要求には、動画一覧Ｇ３０３及び動画一覧Ｇ３０４からそれぞれ選択された動画の動画データを特定する情報（又は、この動画データに対応する撮影情報を特定する情報）が含まれる。このような情報としては、例えば、動画データ保存先パスや撮影ＩＤ等が挙げられる。
【０１２０】
管理サーバ２０の通信部２０１は、動画データの取得要求を受信する（ステップＳ２１１）。
【０１２１】
次に、管理サーバ２０の情報管理部２０２は、当該取得要求に含まれる情報に基づいて、動画データ記憶部２４０から動画データを取得する（ステップＳ２１２）。例えば、当該取得要求に動画データ保存先パスが含まれる場合、情報管理部２０２は、この動画データ保存先パスに保存されている動画データを取得する。また、例えば、当該取得要求に撮影ＩＤが含まれる場合、この撮影ＩＤに対応する撮影情報に含まれる動画データ保存先パスに保存されている動画データを取得する。
【０１２２】
次に、管理サーバ２０の通信部２０１は、動画データの取得応答をユーザ端末１０に送信する（ステップＳ２１３）。動画データの取得応答には、上記のステップＳ２１２で取得された動画データが含まれる。また、動画データの取得応答には、この動画データに対応する撮影情報に含まれる各種情報（例えば、撮影日時や再生時間、コメント、評価結果、タグ等）が含まれていても良い。特に、当該動画データに基づく動画中の動作が既に評価済みで、コメント及び評価結果が存在する場合は、動画データの取得応答には、これらのコメント及び評価結果も含めることが好ましい。
【０１２３】
ユーザ端末１０の通信部１０３は、動画データの取得応答を受信する（ステップＳ２１４）。
【０１２４】
次に、ユーザ端末１０の表示制御部１０２は、当該取得応答に含まれる動画データを表示する（ステップＳ２１５）。すなわち、表示制御部１０２は、例えば図１３に示す動画閲覧及び評価画面Ｇ３００を表示する。
【０１２５】
図１３に示す動画閲覧及び評価画面Ｇ３００には、動画データの取得応答に含まれる２つの動画データに基づく動画が、動画表示欄Ｇ３０５及び動画表示欄Ｇ３０６にそれぞれ表示されている。また、動画表示欄Ｇ３０５及び動画表示欄Ｇ３０６にそれぞれ表示される動画は、再生制御ボタンＧ３０７により再生制御等を行うことができる、再生制御には、例えば、再生、停止、次フレーム、前フレーム、巻き戻し等がある。また、所望のフレームに対してマーク（目印）を付与することもできる。
【０１２６】
ユーザは、再生制御ボタンＧ３０７を用いて、動画表示欄Ｇ３０５及び動画表示欄Ｇ３０６にそれぞれ表示された動画を再生等して、これらの動画を比較しながら評価を行うことができるようになる。
【０１２７】
また、このとき、ユーザは、評価欄Ｇ３０８により、動画表示欄Ｇ３０５に表示されている動画中の動作を評価することができる。図１３に示す例では、ＦＩＭ評価として、７段階で評価可能な評価欄Ｇ３０８を示している。同様に、ユーザは、評価欄Ｇ３０９により、動画表示欄Ｇ３０６に表示されている動画中の動作を評価することができる。なお、動画表示欄Ｇ３０５や動画表示欄Ｇ３０６に表示されている動画中の動作が既に評価済であった場合、評価欄Ｇ３０８や評価欄Ｇ３０９により再評価することができても良い。
【０１２８】
また、このとき、ユーザは、動画表示欄Ｇ３０５に表示されている動画又は動作に対するコメントをコメント欄Ｇ３１０に記載することができる。同様に、ユーザは、動画表示欄Ｇ３０６に表示されている動画中の動作に対するコメントをコメント欄Ｇ３１１に記載することができる。なお、動画表示欄Ｇ３０５や動画表示欄Ｇ３０６に表示されている動画中の動作に対するコメントがコメント欄Ｇ３１０やコメント欄Ｇ３１１に既に記載済であった場合、このコメントを編集することができても良い。
【０１２９】
また、このとき、ユーザは、タグ付与ボタンＧ３１２を押下することで、動画表示欄Ｇ３０５に表示されている動画の動画データに対してタグを付与することができる。同様に、ユーザは、タグ付与ボタンＧ３１３を押下することで、動画表示欄Ｇ３０６に表示されている動画の動画データに対してタグを付与することができる。タグ付与の方法は、図１０と同様に、ユーザにより任意の文字や記号が入力されても良いし、予め決められたタグ（又は何等かの動画データに既に付与されているタグ）の一覧からユーザが選択されても良い。
【０１３０】
ユーザは、上述した評価やコメントの記載、タグの付与等を行った上で、保存ボタンＧ３１４を押下することで、評価操作を行うことができる。以降では、ユーザが評価操作を行ったものとして説明を続ける。なお、評価操作を行うためには、評価と、コメントの記載と、タグの付与との全てを行う必要はない。評価操作としては、評価欄Ｇ３０８又は評価欄Ｇ３０９による評価（又は再評価）を少なくとも行った上で、保存ボタンＧ３１４が押下されれば良い。ただし、例えば、評価欄Ｇ３０８や評価欄Ｇ３０９による評価（又は再評価）を行わずに、コメントのみを記載（又は編集）したり、タグのみを付与（又は削除）したりした上で、保存ボタンＧ３１４が押下された場合も評価操作としても良い。すなわち、評価操作は、評価（再評価も含む）、コメントの記載（コメントの編集も含む）及びタグの付与（タグの削除も含む）のうち、少なくとも１つ行われた上で、保存ボタンＧ３１４を押下する操作としても良い。したがって、以降では、これらの評価（再評価も含む）、コメントの記載（コメントの編集も含む）、タグの付与（タグの削除も含む）をまとめて評価内容と表す。
【０１３１】
ユーザ端末１０の操作受付部１０１は、ユーザによる評価操作を受け付ける（ステップＳ２１６）。
【０１３２】
次に、ユーザ端末１０の通信部１０３は、評価内容の保存要求を管理サーバ２０に送信する（ステップＳ２１７）。評価内容の保存要求には、評価内容と、この評価内容に対応する動画データを特定する情報（又は、この動画データに対応する撮影情報を特定する情報）とが含まれる。
【０１３３】
管理サーバ２０の通信部２０１は、評価内容の保存要求を受信する（ステップＳ２１８）。
【０１３４】
次に、管理サーバ２０の情報管理部２０２は、撮影情報記憶部２３０に記憶されている撮影情報のうち、該当の撮影情報を、当該保存要求に含まれる評価内容により更新する（ステップＳ２１９）。すなわち、情報管理部２０２は、評価内容に含まれる評価やコメント、タグ等の情報により、該当の撮影情報の評価結果やコメント、タグ等をそれぞれ更新する。なお、該当の撮影情報とは、当該保存要求に含まれる情報（例えば、動画データ保存先パスや撮影ＩＤ等）により特定される撮影情報のことである。
【０１３５】
これにより、評価者による評価結果や評価者が入力等したコメント、タグ等が、該当の撮影情報で管理される。
【０１３６】
次に、管理サーバ２０の通信部２０１は、評価内容の保存応答をユーザ端末１０に送信する（ステップＳ２２０）。
【０１３７】
ユーザ端末１０の通信部１０３は、評価内容の保存応答を受信する（ステップＳ２２１）。
【０１３８】
以上のように、本実施形態に係る動作評価支援システム１では、ユーザ端末１０のユーザ（評価者）は、評価対象者と評価項目とを選択した上で、この評価対象者の動作が撮影された動画を閲覧することができる。そして、ユーザ端末１０の評価者は、この動画中の動作を評価したり、この動画や動作に対するコメントを記載したりする等を行うことができる。
【０１３９】
また、本実施形態に係る動作評価支援システム１では、評価者が動画を閲覧する際に、複数の動画を同時に閲覧することができる。これにより、評価者は、例えば、前回撮影した動画と、今回撮影した動画とを比較しながら評価を行うことができるようになる。また、これ以外にも、評価者は、例えば、或る評価対象者の動画と、他の評価対象者の動画とを同時に閲覧することで、或る評価対象者の動作と、他の評価対象者の動作とを比較しながら評価を行うことができるようになる。
【０１４０】
このように、本実施形態に係る動作評価支援システム１によれば、評価者は、ユーザ端末１０により動画を閲覧することで、評価対象者が行った動作の評価を容易に行うことができるようになる。特に、例えば、本実施形態に係る動作評価支援システム１によれば、撮影者と評価者とが異なる場合であっても、評価者は、評価対象者と評価項目とを選択するだけで、当該評価対象者についての、当該評価項目の動作を容易に評価することができるようになる。
【０１４１】
［第二の実施形態］
次に、第二の実施形態について説明する。上述したように、第一の実施形態では、撮影者が評価対象者と評価項目とを選択した上で撮影を行う。しかしながら、例えば、デイサービスの事業所等において、撮影者が経験の少ない従業員である場合等には、どの評価項目を選択したら良いか（又は選択すべきであるか）等がわからないことが有り得る。
【０１４２】
また、評価者にとっても、或る評価対象者について、どの評価項目を優先的に評価すべきなのか等について判断に迷うことが有り得る。
【０１４３】
そこで、第二の実施形態では、或る評価対象者の動作を撮影する場合に、選択すべき評価項目を強調して利用開始画面上に表示させると共に、或る評価対象者の動作を評価する場合に、選択すべき評価項目を判断するための指標を利用開始画面上に表示する。
【０１４４】
なお、第二の実施形態は、主に、第一の実施形態との相違点について説明し、第一の実施形態と同様の構成要素については、その説明を省略するものとする。
【０１４５】
＜機能構成＞
まず、本実施形態に係る動作評価支援システム１の機能構成について、図１４を参照しながら説明する。図１４は、第二の実施形態に係る動作評価支援システム１の機能構成の一例を示す図である。
【０１４６】
図１４に示すように、本実施形態に係る管理サーバ２０は、対象者管理情報記憶部２５０を有する。当該記憶部は、例えば記憶装置２８等を用いて実現可能である。なお、当該記憶部は、管理サーバ２０とネットワークＮを介して接続される記憶装置等を用いて実現されていても良い。
【０１４７】
対象者管理情報記憶部２５０は、対象者の属性や評価に関する情報等を管理する対象者管理情報を記憶する。
【０１４８】
ここで、対象者管理情報記憶部２５０に記憶されている対象者管理情報について、図１５を参照しながら説明する。図１５は、対象者管理情報の一例を示す図である。
【０１４９】
図１５に示すように、対象者管理情報記憶部２５０には、１以上の対象者管理情報が記憶されている。各対象者管理情報には、「対象者ＩＤ」、「介護度」、「入所日」、「予定期間」、「撮影間隔」及び「評価情報」等が含まれる。
【０１５０】
「対象者ＩＤ」は、評価対象者を識別する情報である。「介護度」は、評価対象者の介護度である。「入所日」は、例えばデイサービス等に入所した日である。「予定期間」は、例えば、日常生活動作（ＡＤＬ）の評価を行う予定の期間である。「撮影間隔」は、予定期間の間、評価対象者の動作を撮影する間隔である。「評価情報」は、評価項目毎に、この評価項目の動作が評価された回数（評価回数）と、この評価項目の動作が前回撮影された日付とである。例えば、評価情報「評価項目ＩＤ「Ｅ００１」＝２、前回撮影日＝２０１７／１２／３」は、評価項目ＩＤ「Ｅ００１」の評価項目について、２回評価されたこと、及び前回の撮影日が２０１７年１２月３であることを示している。
【０１５１】
なお、評価情報に含まれる評価項目ＩＤは介護度に応じて決定される。例えば、介護度が高い場合は負荷の大きい動作を行うことができないため、このような負荷の大きい動作が必要な評価項目の評価項目ＩＤは、評価情報に含まれない。一方で、例えば、介護度が低い場合は或る程度負荷の大きい動作を行うことができるため、このような或る程度負荷の大きい動作が必要な評価項目の評価項目ＩＤも評価情報に含まれる。
【０１５２】
また、撮影間隔も介護度に応じて決定されても良い。例えば、介護度が高い場合には撮影期間を長くする一方で、介護度が低い場合には撮影期間を短くする等である。
【０１５３】
このように、対象者管理情報記憶部２５０には、評価対象者毎に、介護度や入所日、予定期間、評価情報等が含まれる対象者管理情報が記憶されている。後述するように、本実施形態では、対象者管理情報に基づいて、利用開始画面上に表示される評価項目の表示態様等を異ならせる。これにより、撮影者や評価者等が、どの評価項目を選択すべきかを容易に知ることができるようになる。
【０１５４】
＜処理の詳細＞
次に、本実施形態に係る動作評価支援システム１の処理の詳細について説明する。以降では、撮影処理において、本実施形態に係る利用開始画面を表示する場合について説明する。なお、利用開始画面を表示するまでの処理は、動画閲覧及び評価処理でも同様であるため、以降の図１６で説明するステップＳ３０１〜ステップＳ３０６の処理は、動画閲覧及び評価処理で利用開始画面を表示する場合にも同様に実行される。
【０１５５】
≪撮影処理≫
本実施形態に係る撮影処理について、図１６を参照しながら説明する。図１６は、第二の実施形態に係る撮影処理の流れの一例を説明するための図である。なお、図１６のステップＳ１０１、ステップＳ１０８〜ステップＳ１１９の処理は、第一の実施形態と同様であるため、その説明を省略する。
【０１５６】
ステップＳ１０１に続いて、ユーザ端末１０の通信部１０３は、表示情報の取得要求を管理サーバ２０に送信する（ステップＳ３０１）。本実施形態では、表示情報は、評価項目情報、対象者情報及び対象者管理情報であるものとする。
【０１５７】
管理サーバ２０の通信部２０１は、表示情報の取得要求を受信する（ステップＳ３０２）。
【０１５８】
次に、管理サーバ２０の情報管理部２０２は、評価項目情報記憶部２１０に記憶されている評価項目情報と、対象者情報記憶部２２０に記憶されている対象者情報と、対象者管理情報記憶部２５０に記憶されている対象者管理情報とを取得する（ステップＳ３０３）。なお、対象者情報記憶部２２０に記憶されている対象者情報のうちの一部の対象者情報を取得した場合には、情報管理部２０２は、取得した対象者情報と対応する対象者管理情報を対象者管理情報記憶部２５０から取得すれば良い。なお、対象者情報と対応する対象者管理情報とは、対象者情報と対象者ＩＤが同一の対象者管理情報のことである。
【０１５９】
次に、管理サーバ２０の通信部２０１は、表示情報の取得応答をユーザ端末１０に送信する（ステップＳ３０４）。表示情報の取得応答には、上記のステップＳ３０３で取得された表示情報（すなわち、評価項目情報、対象者情報及び対象者管理情報）が含まれる。
【０１６０】
ユーザ端末１０の通信部１０３は、表示情報の取得応答を受信する（ステップＳ３０５）。
【０１６１】
次に、ユーザ端末１０の表示制御部１０２は、表示情報（評価項目情報、対象者情報及び対象者管理情報）に基づいて、例えば図１７に示す利用開始画面Ｇ４００を表示する（ステップＳ３０６）。
【０１６２】
ここで、図１７に示す利用開始画面Ｇ４００は、図９に示す利用開始画面Ｇ１００とは、評価項目選択欄Ｇ４１０とが異なる。
【０１６３】
このとき、評価項目選択欄Ｇ４１０では、対象者選択欄Ｇ１１０で選択されている評価対象者（図１７に示す例では、名前「田中」である評価対象者）について、複数の評価項目のうち、撮影すべき動作の評価項目が強調表示される。図１７に示す例では、評価項目名「入浴」が枠Ｇ４２１で強調表示されていると共に、評価項目名「トイレ」が枠Ｇ４２２で強調表示されている。なお、強調表示の表示態様は、枠で囲む場合に限られず、種々の表示態様が用いられても良い。強調表示の表示態様としては、例えば、点滅させたり、色を変えたり、所定のアイコン等を付与したり等が挙げられる。
【０１６４】
複数の評価項目のうち、どの評価項目が強調表示されるかは、対象者管理情報に含まれる撮影間隔や評価情報等により決定される。このような決定方法としては、例えば、以下の（１）〜（３）が挙げられる。
【０１６５】
（１）他の評価項目と比べて評価回数が少ない評価項目を強調表示する。これは、評価情報に含まれる各評価項目の評価回数を参照し、例えば、評価回数が少ない順に上位Ｎ件（Ｎは予め決めた整数）の評価項目を強調表示させれば良い。
【０１６６】
（２）同一カテゴリ内で、他の評価項目と比べて評価回数が最も少ない評価項目を強調表示する。例えば、カテゴリ「セルフケア」には、評価項目として、「食事」、「整容」、「入浴」、「更衣−上半身」、「更衣−下半身」、「トイレ動作」が含まれる。これらの評価項目のうち、例えば、評価回数が最も少ない評価項目が「入浴」である場合、この評価項目「入浴」を強調表示させれば良い。
【０１６７】
（３）撮影間隔が経過した評価項目を強調表示する。これは、撮影間隔と評価情報とを参照して、評価情報に含まれる前回撮影日からの経過日数が撮影間隔を超過している評価項目を強調表示させれば良い。より具体的には、例えば、撮影間隔が「３週間」、評価情報が「評価項目ＩＤ「Ｅ００１」＝２、前回撮影日＝２０１７／１２／３」であり、かつ、現在の日付が２０１７年１２月２７日である場合、表示制御部１０２は、評価項目ＩＤが「Ｅ００１」である評価項目（評価項目名「食事」）を強調表示させる。
【０１６８】
このように、本実施形態では、複数の評価項目のうち、撮影すべき動作の評価項目が強調表示される。これにより、例えば、デイサービスの事業所等において、撮影者が経験の少ない従業員である場合等であっても、どの評価項目を選択したら良いか（又は選択すべきであるのか）等が容易にわかるようになる。
【０１６９】
また、評価項目選択欄Ｇ４１０では、対象者選択欄Ｇ１１０で選択されている評価対象者（図１７に示す例では、名前「田中」である評価対象者）について、複数の評価項目のうち、評価回数が１以上の評価項目に対して評価回数が表示されている。図１７に示す例では、評価項目名「食事」に対して評価回数「２」を示す表示部品Ｇ４３１が表示されている。同様に、評価項目名「整容」に対して評価回数「１」を示す表示部品Ｇ４３２、評価項目名「ベッド、椅子、車椅子」に対して評価回数「１」を示す表示部品Ｇ４３３が表示されている。
【０１７０】
このように、本実施形態では、複数の評価項目のうち、既に評価が行われた評価項目に対して評価回数が表示される。これにより、例えば、評価者は、評価回数が少ない評価項目を優先的に評価する等の判断を行うことができるようになる。
【０１７１】
以上のように、本実施形態に係る動作評価支援システム１では、例えば図１７に示す利用開始画面Ｇ４００がユーザ端末１０上に表示される。そして、この利用開始画面Ｇ４００では、各評価対象者について、撮影すべき動作の評価項目が強調表示されると共に、評価すべき評価項目を判断するための指標（例えば、評価回数等）が表示される。これにより、撮影者は、撮影すべき動作の評価項目としてどの評価項目を選択すれば良いかを容易に判断することができるようになる。また、評価者は、評価すべき動作の評価項目として、どの評価項目を選択すれば良いかを容易に判断することができるようになる。
【０１７２】
上記で説明した各実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ（Application Specific Integrated Circuit）、ＤＳＰ（Digital Signal Processor）、ＦＰＧＡ（Field Programmable Gate Array）や従来の回路モジュール等のデバイスを含むものとする。
【０１７３】
本発明は、具体的に開示された上記の各実施形態に限定されるものではなく、特許請求の範囲から逸脱することなく、種々の変形や変更が可能である。
【符号の説明】
【０１７４】
１        動作評価支援システム
１０      ユーザ端末
２０      管理サーバ
１０１    操作受付部
１０２    表示制御部
１０３    通信部
１０４    撮影制御部
２０１    通信部
２０２    情報管理部
２１０    評価項目情報記憶部
２２０    対象者情報記憶部
２３０    撮影情報記憶部
２４０    動画データ記憶部
【先行技術文献】
【特許文献】
【０１７５】
【特許文献１】特開２００９−２８５０７７号公報
【図１】
2019160228.tif 000003
【図２】
2019160228.tif 000004
【図３】
2019160228.tif 000005
【図４】
2019160228.tif 000006
【図５】
2019160228.tif 000007
【図６】
2019160228.tif 000008
【図７】
2019160228.tif 000009
【図８】
2019160228.tif 000010
【図９】
2019160228.tif 000011
【図１０】
2019160228.tif 000012
【図１１】
2019160228.tif 000013
【図１２】
2019160228.tif 000014
【図１３】
2019160228.tif 000015
【図１４】
2019160228.tif 000016
【図１５】
2019160228.tif 000017
【図１６】
2019160228.tif 000018
【図１７】
2019160228.tif 000019